(57)【特許請求の範囲】
【請求項１】
器具を遠隔操作するリモコンと、前記器具から離れた箇所の壁面に取付け前記リモコンを着脱自在に収納する取付台と、この取付台へ前記リモコンを装着する装着面内に設け、磁気感知して電気回路を開閉する磁気スイッチと、前記リモコンの装着時に前記磁気スイッチと相対し、前記取付台のリモコン収納面の裏面に固定して前記磁気スイッチの磁気感知用磁界を異極間で作る板磁石と、この板磁石の裏面に当接しこの裏面の周辺を覆う強磁性体の継鉄とを備えた着脱式リモコンユニット。
【請求項２】
器具を遠隔操作するリモコンと、前記器具から離れた箇所の壁面に取付け前記リモコンを着脱自在に収納する取付台と、この取付台へ前記リモコンを装着する装着面内に設け、磁気感知して電源を開閉する電源スイッチと、前記リモコンの装着時に前記電源スイッチと相対し、取付台のリモコン収納面の裏面に固定して前記電源スイッチの磁気感知用磁界を異極間で作る板磁石と、遠隔操作信号を入力する操作スイッチと、この操作スイッチの信号をマイクロコンピュータのメモリーで受信し、前記リモコンを取外して前記電源スイッチが電源を切ったとき、前記操作スイッチを非通常操作した隠しモード信号により電源を再入力する電源回路とを備えた着脱式リモコンユニット。
【請求項３】
器具を遠隔操作する略直方体のリモコンと、この器具から離れた箇所の壁面に取付けて前記リモコンを着脱自在に収納する取付台と、この取付台へ前記リモコンを装着する装着面内に設け、磁気感知して電気回路を開閉する磁気スイッチと、前記リモコンの装着時に前記磁気スイッチと相対し、取付台のリモコン収納面の裏面に固定して磁気スイッチの磁気感知用磁界を異極間で作る板磁石と、取付台下部から前記収納面と直角に突出して前記リモコンを支持する支持板と、前記リモコンの矩形断面に沿った略コの字の中空形状を有して前記収納面から突出し、前記装着面を前記収納面に当接して前記リモコンを上方から取付台に挿入収納し、前記リモコンの装着後に前記装着面を前記収納面に近接保持する保持枠と、前記リモコンの装着状態でも遠隔操作信号を入力できる操作スイッチとを備えた着脱式リモコンユニット。
【発明の詳細な説明】
【０００１】
【産業上の利用分野】
本発明は遠隔操作用のリモコンを壁面取付台へ収納しての壁掛け操作と取外しての手元操作の両使用可能な、給湯器等の設備器具の遠隔操作装置に関する。
【０００２】
【従来の技術】
従来、給湯器のリモコンは台所や浴室の壁面の操作容易な箇所を選んで固定設置され、電源入力スイッチで給湯器の駆動用電源を入力操作し、その後に湯温調節スイッチで給湯温度を指示したりしていた。
【０００３】
【発明が解決しようとする課題】
しかしながら、最近の電化器具を豊富に収納した台所では、リモコンの操作性良好な取付箇所に欠乏し、止むを得ず操作の不便な給湯栓から離れた壁面にリモコンを設置し、電源の入切や湯温調節毎に不便を強いられて使い勝手が悪いという課題があった。
【０００４】
そこで、本発明の第１の目的は、取付台の取付壁面の磁性に影響を受けずに、リモコンを取付台へ着脱時に磁気スイッチが電気回路を開閉できる装置を提供する。
【０００５】
また、本発明の第２の目的は、上記第１の目的を達成したときに生じる課題解決として、リモコンを取外したときに子供がいたずら使用する操作入力の無効化を図る。
【０００６】
さらに、本発明の第３の目的は、リモコンの取付台への収納ミスによる磁気スイッチの不動作およびリモコンの落下損傷の防止を図りながら、着脱両用操作を容易化する。
【０００７】
【課題を解決するための手段】
上記第１の目的を達成するために、本発明の着脱式リモコンユニットの第１の手段は、器具を遠隔操作するリモコンと、器具から離れた箇所の壁面に取付けてリモコンを着脱自在に収納する取付台と、リモコンの取付台への装着面内に設け、磁気感知して電気回路を開閉する磁気スイッチと、リモコン装着時に磁気スイッチと相対し、取付台のリモコン収納面の裏面に固定して磁気スイッチの磁気感知用磁界を異極間で作る板磁石および板磁石の裏面に当接して裏面周辺を覆う強磁性体の継鉄を備えたものである。
【０００８】
また、上記第２の目的を達成するために、本発明の第２の手段は、器具を遠隔操作するリモコンと、器具から離れた箇所の壁面に取付けてリモコンを着脱自在に収納する取付台と、リモコンの取付台への装着面内に設け、磁気感知して電源を開閉する電源スイッチと、リモコン装着時に電源スイッチと相対し、取付台のリモコン収納面の裏面に固定して電源スイッチの磁気感知用磁界を異極間で作る板磁石と、遠隔操作信号を入力する操作スイッチと、操作スイッチの信号をマイクロコンピュータのメモリーで受信し、リモコンを取外して電源スイッチが電源を切ったとき、操作スイッチを非通常操作した隠しモード信号により電源を再入力する電源回路を備えたものである。
【０００９】
さらに、上記第３の目的を達成するために、本発明の第３の手段は、器具を遠隔操作する略直方体のリモコンと、器具から離れた箇所の壁面に取付けてリモコンを着脱自在に収納する取付台と、リモコンの取付台への装着面内に設け、磁気感知して電気回路を開閉する磁気スイッチと、リモコン装着時に磁気スイッチと相対し、取付台のリモコン収納面の裏面に固定して磁気スイッチの磁気感知用磁界を異極間で作る板磁石と、取付台下部から前記収納面と直角に突出してリモコンを支持する支持板と、リモコンの矩形断面に沿った略コの字の中空形状を有して前記収納面から突出し、前記装着面を前記収納面に当接してリモコンを上方から取付台に挿入収納し、リモコン装着後に前記装着面を前記収納面に近接保持する保持枠と、リモコン装着状態でも遠隔操作信号を入力できる操作スイッチを備えたものである。
【００１０】
【作用】
そして、上記第１の手段によると本発明の着脱式リモコンユニットは、裏面に継鉄を当接した板磁石表面の異極が磁気スイッチを配したエアギャップに磁界を作り、略２倍になった高密度の磁極で磁界を増幅作用し、板磁石を小型化しながら磁気スイッチを効率良く磁気動作できる。
【００１１】
取付台にリモコンを装着すると板磁石に相対してリモコンに設けた磁気スイッチは、板磁石が張る磁界を磁気感知してリモコンの電気回路を入（または切）する。そして、リモコンを手元操作するために取付台から取外すと、磁気スイッチが磁気感知しなくなって電気回路を切（または入）に切替える。
【００１２】
取付台を取付けた壁面がタイル仕上げで、その裏面がラス網を用いたモルタルであるとき、リモコンの壁面からの突出代を少なくするために取付台を薄くすると、板磁石は磁界の通り易いラス網と至近距離に位置する。このため、板磁石の外側間で磁路の長い磁気力線は、ラス網との間の磁路の長さの方が磁気的に短くなり、ラス網側へ流れて漏洩する。
【００１３】
しかし、前記継鉄による増幅作用効果がこのラス網による磁界の減衰作用に打勝つことにより、例え取付台の取付壁面が磁性を有しても磁気スイッチを所定作動できる。
【００１４】
そして、継鉄を採用しないときに板磁石の磁力を無駄に大きくし、リモコンの重量を過大化したり、強力な磁界によるリモコンの電気回路に対する磁気障害を及ぼす等の課題も合理的に解消できる。
【００１５】
また、上記第２の手段によると本発明は、手元操作のためにリモコンを取付台から取外すと電源スイッチが電源を切り、子供がいたずら操作しても器具を動作できないように所謂チャイルドロックを備える。そして、子供のいたずら操作では容易に解けないように、通常の操作モードとは異なった隠しモードにより電源が再入力でき、手元操作が可能になる。
【００１６】
さらに、上記第３の手段によると本発明は、取付台の保持枠と収納面が作る中空枠内へ、収納面にリモコンの装着面を沿わせながら上方からリモコンを入れ、支持板がリモコンを支持する。中空枠はリモコンの矩形断面形状に近く、リモコンは取付台にほぼ密着して収納され、板磁石と磁気スイッチを正しく位置決めして動作できる。このとき、操作スイッチは保持枠に隠れないから、リモコンを取付状態でも操作ができる。また、不正にリモコンを収納できないから、収納不良によってリモコンを落下損傷する事故も防止できる。
【００１７】
【実施例】
以下、本発明による着脱式リモコンユニットの実施例について、添付図面を参照しながら具体的に説明する。
【００１８】
図１は家屋の外側の壁面等に設置する給湯器（図示していない）を台所や浴室から遠隔操作し、給湯栓から給湯する操作信号入力用の着脱式リモコンユニットについての一実施例を示す。台所等の木質の壁１９に取付台１をねじ１２で固定し、リモコン１４は取付台１の下台１１上に載置して収納する。取付台１は収納面９の裏面中央に矩形の突起２を有し、この突起２の中央の対辺に沿わせ、仕切片５で所定間隙を持たせて２箇の板磁石４を接着固定し、さらに閉止片３で脱落を防止する。板磁石４以外の上記各部品は非磁性の材料を用いる。リモコン１４の壁面からの突出代Ａを少なくするために、取付台１の高さＢは極力少ない方が望ましい。
【００１９】
リモコン１４は下台１１に載置して収納したとき、その取付面１６の裏側で、板磁石４がリモコン１６側に張る磁界を有効に受ける相対位置に、磁気感知して導通する強磁性体の接片１５を持つ電源スイッチとしてのリードスイッチ１７を配置する。リードスイッチ１７は電源回路１８に接続し、電源回路１８はリモコン表面の操作信号入力用の操作スイッチ２０の操作信号をマイクロコンピュータ２１のメモリーに受ける。電源回路１８は操作スイッチ２０を非定常操作した入力信号としての隠しモードで電源をオンし、その後所定時間を計時すると自動的に電源をオフするタイマー２２も備える。操作スイッチ２０の操作信号はタッチの瞬間入力をマイクロコンピュータ２１が受信する。
【００２０】
上記した構成により、リモコン１４を取付台１に載置して収納すると、板磁石４が張る磁界を強磁性体で弾力を有した接片１５が磁気感知して吸着し、リードスイッチ１７がオンする。逆に、子供がいたずらのためにリモコン１４を取外すと、接片１５の磁界が解かれて弾力によって開放し、電源は自動的にオフし、通常の操作では電源が復帰しない。このとき洗面所等で給湯使用していても、いたずらによる操作信号が無効なため、湯温設定が急に高温に変わってやけどをする等の危険を防止できる。
【００２１】
また、台所の流し台で湯温設定を頻繁に変えるために、リモコン１４を取付台１から外して手元使用し、うっかりそのまま忘れて放置したとき、タイマ２２は電源オン時から所定時限を計測して電源をオフする。そして、この放置忘れしたリモコン１４を子供がいたずら操作しても、所定時限以後の操作入力が無効となり、このときもチャイルドロックを作用させ得る。
【００２２】
この実施例では磁界発生用に板磁石４を採用し、鉄芯をコイルの電流で磁化する方式等では取付台１の高さＢが高くなるのに対し、薄い板磁石４によって高さＢを低くし、リモコン１４の壁１９からの突出代Ａを少な目に抑え、狭小化する台所等の人体の移動空間を有効活用できる。
【００２３】
次に、図２に本発明の他の実施例を示す。図１と同じ番号を付与した部品は同一名称で同じ作用をするものとして説明は省く。板磁石４はその裏面を閉止片３に代えて強磁性体としての鉄板８で脱落防止する。この突起２の箇所の右側面図を図３に示すと、板磁石４ａ，４ｂは鉄板８の裏側の破断斜線で示す仕切片７で位置決めされ、ピッチｌ1 を有して保持される。板磁石４ａ，４ｂは突起２の内周２ａに嵌合固定した鉄板８により裏面周辺を覆われる。電源回路２５はリードスイッチ１７、リモコン２４を図の取付状態で操作可能にした電源オン用の運転スイッチ２６および給湯温度を設定する湯温スイッチ２７等と接続する。壁面３０は木材３１に強磁性体の鉄材によるラス網３２を打付け、モルタル３３を塗布後にタイル３４を表装材にして仕上げたタイル壁面とする。
【００２４】
取付台１ａは図４に示すように、収納面９から保持枠２８を突出し、リモコン２４の断面の外形寸法に近い、ａ×ｂの矩形の中空内にリモコン２４を上からすべらせ、支持板１１で受ける。この取付台１ａの構成によれば、リモコン２４は前記ａ×ｂの中空内に入れて下方へ摺動させないと収納できないから、収納の位置決めを確実にできる。また、リモコン２４の重量が大きいときに、磁気力の大きな磁石で吸着保持させ、電源回路２５に不要な磁気障害を与えることもないし、吸着前に手離してリモコン２４を落下損傷することも防止できる。
【００２５】
次に、鉄板８の継鉄としての作用を図５の磁気回路によって説明する。鉄板８の両端に固定した板磁石４ａ，４ｂは、板磁石４ａのＮ極から板磁石４ｂのＳ極に向け、途中のエアギャップ間に磁気力線３５を出す。鉄板８が無いときには鉄板８側にも対称的な磁気力線が出るが、鉄板８が板磁石４ａ，４ｂの異極間で磁化され、板磁石４ｂのＮ極と板磁石４ａのＳ極の磁荷が互いに他の鉄板８の無い側の磁極に磁気誘導され、鉄板８の無い側に略２倍の磁気力線を集中できる。
【００２６】
しかも、板磁石４ａ，４ｂの狭い磁極面間で作られる磁束は、リードスイッチ１７の接片１５と板磁石４ａ，４ｂの磁極からのピッチｌ2 に対し、板磁石４ａ，４ｂ間のピッチｌ1 を対応することにより、接片３６を効率良く磁着させる磁束密度の高い磁界を形成できる。つまり、鉄板８は板磁石４ａ，４ｂの片側に配置したリードスイッチ１７側のエアギャップだけに磁界を集中する増幅作用を有している。
【００２７】
図６はリードスイッチ４０に板磁石４１を離して磁気作用させ、このとき接片４２に有効に作用する磁気力線はＨで示すように、板磁石４１のＮ極から出る全磁気力線の一部しか無い。従って、同じ表面磁極密度を持つ板磁石の磁極面積を増やしてもＨの数は増やせず、市販の板磁石を用いて入手できるピッチｌ2aは前記ピッチｌ2 より小さいため、図２に示す構成の実用化は困難となる。この図６の構成を採るときは、一般にｌ2aはほぼ０に近い。リードスイッチ４０の接片４２は磁気力線Ｈの入力側を負磁極に、出力側を正磁極に各々磁化され、２つの接片４２間に異なる磁極ができる。そして、接片４２間のクリアランスを保つ弾性力より、所定磁界で磁化された磁極間の吸着力が大となると、接片４２間が磁着して導通する。
【００２８】
図５の構成によれば、タイル壁面３０のラス網３２が板磁石４ａ，４ｂからピッチｌ4 の位置にあるとき、磁気力線Ｈの外側の楕円形の磁路の長さがピッチｌ4 の略２倍に近いときだけ、漏洩磁力線ＨL が僅かに発生する。このピッチｌ4 をタイル壁面３０の仕様から標準設定し、板磁石４ａ，４ｂの表面磁極密度とピッチｌ2 を考慮してピッチｌ1 をこの設定値に対応させれば、漏洩磁力線ＨL の発生率を予測してリードスイッチ１７を作動可能に設計できる。そして、鉄板８の前記増幅作用を得てピッチｌ4 を少なくし、取付台１ａの高さＢを少なくして薄型にでき、総じてリモコン２４の壁面３０からの突出代Ａを小さく抑制できる。
【００２９】
次に、リモコン２４の操作について説明すると、図２のリモコン２４の取付状態では電源回路２５は、リードスイッチ１７のオン信号を受けて電源をオフする。この壁掛けの状態で給湯するときには、先ず運転スイッチ２６をオン操作してリモコン２４の電源を入れ、湯温スイッチ２７で給湯温度を設定する。また、リモコン２４を取外して手元操作するときには、リモコン２４を取外すとリードスイッチ１７が自動的にオフし、このオフ信号を受けた電源回路２５は運転スイッチ２６をわざわざオン操作しなくても自動的に電源オンし、手元操作の使い勝手を優先できる。勿論、手元操作を終わって図の状態に戻せば電源は自動的にオフする。
【００３０】
尚、図示はしないが別の実施例として、リードスイッチを湯温設定信号の信号伝送回路に入れ、リモコン取外し時に信号伝送回路を自動的にオフし、その復帰動作を隠しモードとして誤使用危険な湯温設定にだけチャイルドロック機構を備えることも容易である。またこの実施例と前記他の実施例を組み合わせて、種々の信号伝送の電気回路をリモコン着脱動作時に自動的にオンオフまたはオフオン制御することもでき、器具は給湯器に限らず、セントラル暖冷房器等であっても同様の作用が期待できる。
【００３１】
【発明の効果】
以上の説明で明らかなように、本発明の請求項１に示す着脱式リモコンユニットは、遠隔操作用のリモコンに設けて磁気感知により電気回路を開閉する磁気スイッチと、磁気スイッチに相対して取付台から磁気スイッチへ磁界を張る板磁石と、その壁面取付側の周辺を継鉄で覆うことにより、壁面が磁性を有しても小型の板磁石の磁界を増幅作用により有効活用し、着脱時の磁気スイッチの所定開閉動作を期待でき、かつリモコン前面の壁面からの突出代を抑制できる。
【００３２】
また、本発明の請求項２では、遠隔操作用のリモコンに設けて磁気感知により電源を開閉する電源スイッチと、電源スイッチに相対して取付台から電源スイッチへ磁界を張る板磁石と、操作スイッチの通常の操作モードとは異なる隠しモードで電源を再入力できる電源回路を備えることにより、リモコンを取付台から取外して単に操作スイッチを操作しても操作信号を無効化でき、子供のいたずら防止のチャイルドロック機能を有しながら、リモコンを取付台から取外しての手元使用を可能にできる。
【００３３】
さらに、本発明の請求項３では、遠隔操作用のリモコンを上方から摺動させて収納する保持枠と支持板を取付台に備え、リモコン装着時でも操作できる操作スイッチと、リモコン着脱時に電気回路を開閉するリモコンの磁気スイッチおよび取付台の板磁石を備えることにより、リモコン装着ミスによる磁気スイッチの不動作防止とリモコンの落下損傷防止を図りながら、リモコン着脱に伴い磁気スイッチを自動開閉動作させて着脱両用操作の容易化を提供できる。
【図面の簡単な説明】
【図１】本発明の一実施例における着脱式リモコンユニットの断面構成図
【図２】本発明の他の実施例における着脱式リモコンユニットの断面構成図
【図３】同ユニットの板磁石固定部の平面図
【図４】同ユニットの取付台の部分斜視図
【図５】同ユニットの磁気回路の原理図
【図６】従来の磁気回路を説明した原理図
【符号の説明】
１，１ａ  取付台
４，４ａ，４ｂ  板磁石
８  鉄板
１４，２４  リモコン
１７  リードスイッチ
１８，２５  電源回路
１９，３０  壁面
２０  操作スイッチ
２６  運転スイッチ
２７  湯温スイッチ
【図１】
0003551439.tif 000002
【図２】
0003551439.tif 000003
【図３】
0003551439.tif 000004
【図４】
0003551439.tif 000005
【図５】
0003551439.tif 000006
【図６】
0003551439.tif 000007